(57)【要約】【課題】羽根車の周りに２つの吐出流路が形成されたダブルボリュート構造において、羽根車の羽根枚数に制約を設けることなく搬送流体の圧力脈動を低減できるとともに、ポンプ据付必要幅を縮小できるポンプを提供する。【解決手段】ポンプ１０は、吸込流路２０と吐出流路２３とを有するケーシング１１と、ケーシング１１内に配置された羽根車１２とを有する。ケーシング１１内には、羽根車１２の周りに第１吐出流路２１及び第２吐出流路２２を形成するように仕切壁１５が設けられている。第１吐出流路２１の第１舌端２１ａを規定する仕切壁１５の一端は、第２吐出流路２２の第２舌端２２ａと羽根車１２の回転中心とを通る直線Ｌからずれて配置されている。第１吐出流路２１と第２吐出流路２２とは、仕切壁１５の他端の分岐点Ｓにおいて分岐されており、吐出流路２３の全幅Ｗ３は、吸込流路２０の全幅Ｗに等しい。【選択図】  図２
2018003808.tif 000002
【特許請求の範囲】
【請求項１】
吸込流路と吐出流路とを有するケーシングと、
前記ケーシング内に配置された羽根車と、
を備え、
前記ケーシング内には、前記羽根車の周りに第１吐出流路及び第２吐出流路を形成するように仕切壁が設けられており、
前記第２吐出流路の第２舌端を規定する前記仕切壁の一端は、前記第１吐出流路の第１舌端と前記羽根車の回転中心とを通る直線からずれて配置されており、
前記第１吐出流路と前記第２吐出流路とは、前記仕切壁の他端の分岐点において分岐されており、
前記吐出流路全幅は、前記吸込流路全幅に等しい
ことを特徴とするポンプ。
【請求項２】
前記第２吐出流路の前記第２舌端を規定する前記仕切壁の一端は、前記第１吐出流路の前記第１舌端と前記羽根車の回転中心とを通る直線から、前記羽根車の羽根の外側端部の回転方向の長さに相当する位相角以上ずれて配置されている
ことを特徴とする請求項１に記載のポンプ。
【請求項３】
前記第２吐出流路の前記第２舌端を規定する前記仕切壁の一端は、前記第１吐出流路の前記第１舌端と前記羽根車の回転中心とを通る直線から、前記羽根車の回転中心を中心として４°以上ずれて配置されている
ことを特徴とする請求項２に記載のポンプ。
【請求項４】
前記第２吐出流路の前記第２舌端を規定する前記仕切壁の一端は、前記第１吐出流路の前記第１舌端と前記羽根車の回転中心とを通る直線から、前記羽根車の回転方向前方側にずれて配置されている
ことを特徴とする請求項１〜３のいずれかに記載のポンプ。
【請求項５】
前記吐出流路全幅と前記吸込流路全幅のオフセット量はゼロである
ことを特徴とする請求項１〜４のいずれかに記載のポンプ。
【請求項６】
前記第１吐出流路の幅と前記第２吐出流路の幅との和は、前記吸込流路全幅より小さい
ことを特徴とする請求項１〜５のいずれかに記載のポンプ。
【請求項７】
前記羽根車の回転中心を原点、前記羽根車の回転方向を正方向、吐出方向を９０°とする座標系において、
前記第１吐出流路の第１舌端は、１００°〜１４０°の位置に設けられ、
前記第２吐出流路の第２舌端は、２８０°〜３２０°の位置に設けられている
ことを特徴とする請求項１〜６のいずれかに記載のポンプ。
【請求項８】
前記羽根車は斜流羽根を有し、
前記斜流羽根は、前記第１舌端及び前記第２舌端から軸方向に離れて配置されている
ことを特徴とする請求項１〜７のいずれかに記載のポンプ。
【発明の詳細な説明】
【技術分野】
【０００１】
本発明は、ケーシング内で羽根車を回転させて流体を加圧するポンプに関する。
【背景技術】
【０００２】
遠心ポンプのうちボリュートポンプの設計においては、設計条件として与えられる全揚程および流量に基づいて、羽根車の最適な羽根枚数を計算により導出できることが知られている（例えば、非特許文献１参照）。
【０００３】
一方、特に高圧ポンプでは、回転軸に加わるラジアルスラストを低減させるために、羽根車の周りに２つのボリュート状の吐出流路（ボリュート流路ともいう）が形成されたダブルボリュート構造が採用されている。従来のダブルボリュート構造では、２つの吐出流路が羽根車の回転中心を中心として１８０°対称に形成されている（例えば、特許文献１参照）。そのため、羽根車の羽根枚数が偶数の場合には、２つの吐出流路の舌端（巻き始め端部ともいう）を羽根車の羽根が同時に通過することになり、一方の吐出流路の舌端を羽根が通過するときに生じる圧力変動と、他方の吐出流路の舌端を羽根が通過するときに生じる圧力変動とが同期することで、搬送流体に大きな圧力脈動が発生する可能性がある。したがって、従来のダブルボリュート構造では、２つの吐出流路の舌端を羽根が同時に通過しないように、羽根車の羽根枚数を奇数に制約する必要がある。
【０００４】
従来のダブルボリュート構造において、必要な全揚程および流量を満たす最適な羽根枚数が計算上は偶数（例えば４枚）となる場合には、最適な羽根枚数より１枚多い（例えば５枚の）羽根車を採用するとともに、羽根車の外径を変更したり、運転制御（例えば羽根車を駆動する駆動機の周波数を下げる等）により本来の最高効率点より運転点を下げたりすることで、必要な全揚程および流量を実現することが行われている。この場合、ポンプや駆動機が大型化してコストが上がったり、ポンプ性能を落として運転するために最高効率点での運転が行われずエネルギーロスとなる、という問題がある。
【０００５】
また、近年、都市型洪水対策として計画されるポンプ機場は、大容量・高揚程化の傾向にあり、機場の大型化に伴うコストアップを低減するためには、ポンプをコンパクト化することが重要である。
【０００６】
このポンプのコンパクト化のためには、吸込流路断面積の縮小、すなわち流れの高速化が必要であるが、流れの高速化に伴い渦の発生が懸念される。この点に関し、本出願人は特願平６−２３１００５号において、渦の発生を防止する技術を提案し、吸込流速の高速化、すなわち吸込流路のコンパクト化を可能とした。
【０００７】
一方、吸込流路がコンパクト化されても、吐出流路全幅が縮小されないことには、ポンプ据付けに必要なポンプ据付必要幅は大きくなってしまい、土木費等の費用の面で従来と変わらない。したがって、吐出流路の縮小が望まれている。
【先行技術文献】
【特許文献】
【０００８】
【特許文献１】特開２００２−１３８９９１号公報
【非特許文献】
【０００９】
【非特許文献１】今木清康著、「流体機械工学」、コロナ社、ｐ．５４−５７
【発明の概要】
【発明が解決しようとする課題】
【００１０】
本発明は、以上のような点を考慮してなされたものである。本発明の目的は、羽根車の周りに２つの吐出流路が形成されたダブルボリュート構造において、羽根車の羽根枚数に制約を設けることなく搬送流体の圧力脈動を低減できるとともに、ポンプ据付必要幅を縮小できるポンプを提供することにある。
【課題を解決するための手段】
【００１１】
本発明によるポンプは、
吸込流路と吐出流路とを有するケーシングと、
前記ケーシング内に配置された羽根車と、
を備え、
前記ケーシング内には、前記羽根車の周りに第１吐出流路及び第２吐出流路を形成するように仕切壁が設けられており、
前記第２吐出流路の第２舌端を規定する前記仕切壁の一端は、前記第１吐出流路の第１舌端と前記羽根車の回転中心とを通る直線からずれて配置されており、
前記第１吐出流路と前記第２吐出流路とは、前記仕切壁の他端の分岐点において分岐されており、
前記吐出流路全幅は、前記吸込流路全幅に等しい。
【００１２】
本発明によれば、第１吐出流路の第１舌端と第２吐出流路の第２舌端とが羽根車の回転中心を中心として非対称に配置されており、羽根車の羽根枚数が偶数であっても、第１吐出流路の第１舌端と第２吐出流路の第２舌端とを羽根が同時に通過しないようになる。これにより、羽根車の羽根枚数に制約を設けることなく、搬送流体の圧力脈動を効果的に低減することができる。そのため、必要な全揚程および流量を満たす最適な羽根枚数の羽根車を採用することが可能となり、本来のポンプ性能である運転点（最高効率点）にてポンプを運転することができる。
【００１３】
また、本発明によれば、吐出流路全幅が吸込流路全幅に等しいため、吐出流路が第１吐出流路及び第２吐出流路に分岐されていても、吐出流路全幅が吸込流路全幅より大きくなることがなく、ポンプ据付けに必要なポンプ据付必要幅を最大で吐出流路全幅まで縮小できる。したがって、ポンプ据付に要する土木費用を低減することができる。
【００１４】
本発明によるポンプにおいて、前記第２吐出流路の前記第２舌端を規定する前記仕切壁の一端は、前記第１吐出流路の前記第１舌端と前記羽根車の回転中心とを通る直線から、前記羽根車の羽根の外側端部の回転方向の長さに相当する位相角以上ずれて配置されていてもよい。
【００１５】
このような態様によれば、羽根車の羽根枚数が偶数の場合には、第１吐出流路の第１舌端を羽根が通過する時間帯と、第２吐出流路の第２舌端を羽根が通過する時間帯と、が重なることを確実に回避することができる。これにより、搬送流体の圧力脈動を一層効果的に低減できる。
【００１６】
具体的には、たとえば、前記第２吐出流路の前記第２舌端を規定する前記仕切壁の一端は、前記第１吐出流路の前記第１舌端と前記羽根車の回転中心とを通る直線から、前記羽根車の回転中心を中心として４°以上ずれて配置されていてもよい。
【００１７】
本発明によるポンプにおいて、前記第２吐出流路の前記第２舌端を規定する前記仕切壁の一端は、前記第１吐出流路の前記第１舌端と前記羽根車の回転中心とを通る直線から、前記羽根車の回転方向前方側にずれて配置されていてもよい。
【００１８】
このような態様によれば、仕切壁の一端が羽根車の回転方向後方側にずれて配置されている態様に比べて、仕切壁の流れ方向の長さが短く設計される。これにより、仕切壁の影響による搬送流体の圧力損失が低減され、ポンプの運転効率を一層向上させることができる。
【００１９】
本発明によるポンプにおいて、前記吐出流路全幅と前記吸込流路全幅のオフセット量はゼロであってもよい。
【００２０】
このような態様によれば、吐出流路の中心軸線が吸込流路の中心軸線の延長線上に位置しており、ポンプ据付必要幅は吸込流路全幅と同じになる。したがって、ポンプ据付必要幅をより効果的に縮小できる。
【００２１】
本発明によるポンプにおいて、前記第１吐出流路の幅と前記第２吐出流路の幅との和は、前記吸込流路全幅より小さくてもよい。
【００２２】
このような態様によれば、ポンプ据付けに必要なポンプ据付必要幅を縮小しながら、第１吐出流路と第２吐出流路とを確実に分離させることができる。
【００２３】
本発明によるポンプにおいて、前記羽根車の回転中心を原点、前記羽根車の回転方向を正方向、吐出方向を９０°とする座標系において、前記第１吐出流路の第１舌端は、１００°〜１４０°の位置に設けられ、前記第２吐出流路の第２舌端は、２８０°〜３２０°の位置に設けられていてもよい。
【００２４】
このような態様によれば、吸込流路全幅を吐出流路全幅に利用する形状を、ポンプ効率を損なうことなく形成することが容易である。
【００２５】
本発明によるポンプにおいて、前記羽根車は斜流羽根を有し、前記斜流羽根は、前記第１舌端及び前記第２舌端から軸方向に離れて配置されていてもよい。
【００２６】
このような態様によれば、前記羽根車の羽根が第１舌端及び第２舌端を横切るような運転・流れが無くなるため、圧力脈動の発生を更に抑制できる。
【発明の効果】
【００２７】
本発明によれば、羽根車の周りに２つの吐出流路が形成されたダブルボリュート構造のポンプにおいて、羽根車の羽根枚数に制約を設けることなく搬送流体の圧力脈動を低減できるとともに、ポンプ据付必要幅を縮小できる。
【図面の簡単な説明】
【００２８】
【図１】図１は、本発明の一実施の形態によるポンプを備えたポンプ機場の構造を示す概略図である。
【図２】図２は、図１に示すポンプの平面視断面図である。
【図３】図３は、図２に示すポンプの羽根車を拡大して示す図である。
【図４】図４は、羽根が主軸に対して垂直な平面に対して垂直に設けられている場合において、羽根の外側端部の回転方向に測った長さを説明するための概略図である。
【図５】図５は、羽根が主軸に対して垂直な平面に対して傾斜して設けられている場合において、羽根の外側端部の回転方向に測った長さを説明するための概略図である。
【発明を実施するための形態】
【００２９】
以下に、添付の図面を参照して、本発明の実施の形態を詳細に説明する。なお、本明細書に添付する図面においては、図示の理解のしやすさの便宜上、適宜縮尺および縦横の寸法比等を、実物のそれらから変更し誇張してある。
【００３０】
図１は、本発明の一実施の形態によるポンプを備えたポンプ機場の構造を示す概略図である。
【００３１】
図１に示すように、ポンプ機場１は、ポンプ１０と、減速機２と、原動機３とを備えている。図示された例では、ポンプ１０は、立軸斜流渦巻ポンプである。減速機２と原動機３とは互いに隣接して設置されており、ポンプ１０は減速機２の下方に設置されている。
【００３２】
原動機３としては、例えばガスタービンが用いられる。原動機３は、ポンプ１０の主軸１４に減速機２を介して接続されている。減速機２は、原動機３が出力する回転動力をポンプ１０の主軸１４に伝達するようになっている。
【００３３】
ポンプ１０は、吸込流路２０と吐出流路２３とを有するケーシング１１と、ケーシング１１内に配置された羽根車１２と、を有している。羽根車１２は、主軸１４の下端部に同軸に固定されており、原動機３からの回転動力により、主軸１４と羽根車１２とは一体に回転されるようになっている。
【００３４】
図２は、図１に示すポンプ１０の平面視断面図である。図３は、図２に示すポンプ１０の羽根車１２を拡大して示す図である。図３における符号Ｄは、羽根車１２の回転方向を示している。
【００３５】
図２及び図３に示すように、羽根車１２には、複数の羽根１３が、羽根車１２の回転中心を中心として等角度間隔で設けられている。羽根車１２の羽根枚数は、通常は３〜７枚（図示された例では４枚）であるが、これに限定されるものではない。図示された例では、各羽根１３は、主軸１４に対して垂直な平面（図２及び図３における紙面）に対して垂直に設けられており、当該平面（図２及び図３における紙面）上では外側端部が内側端部よりも回転方向後方側に位置するように湾曲されている。
【００３６】
一例を挙げれば、羽根１３の厚みＴ１は１０ｍｍ〜１００ｍｍ程度であり、羽根１３の外側端部の回転方向の長さＴ２はＴ１の１．５倍〜２倍程度である。羽根１３の外側端部の回転方向の長さＴ２を、羽根車１２の回転中心を中心とする位相角で表すと、３°〜４°である。なお、各羽根１３は、主軸１４に対して垂直な平面（図２及び図３における紙面）に対して傾斜して設けられていてもよい。
【００３７】
ここで、羽根１３の外側端部の回転方向の長さＴ２について、説明を補足する。本明細書において、羽根１３の外側端部の回転方向の長さＴ２とは、羽根１３の外側端部の回転方向前方側端部と回転方向後方側端部との間の回転方向に測った長さを意味する。したがって、図４に示すように、羽根１３が主軸１４に対して垂直な平面Ｐに対して垂直に設けられている場合には、羽根１３の外側端部の回転方向の長さＴ２は、羽根１３の外側端部の厚みと等しくなる。一方、図５に示すように、羽根１３が主軸１４に対して垂直な平面Ｐに対して傾斜して設けられている場合には、羽根１３の外側端部の回転方向の長さＴ２は、羽根１３の外側端部の厚みより大きくなる。
【００３８】
図１及び図２に示すように、本実施の形態におけるケーシング１１は、吸込流路２０を規定する吸込ケーシング１１ａと、吸込ケーシング１１ａの上方に一体に設けられた、吐出流路２３を規定する吐出ケーシング１１ｂと、を有している。吐出ケーシング１１ｂはボリュートケーシングである。
【００３９】
図示された例では、吐出ケーシング１１ｂの底部には、主軸１４と同軸状に流入口１１ｃが開口されており、吸込ケーシング１１ａは、吐出ケーシング１１ｂの流入口１１ｃに連通されるように構成されている。図１に示すように、羽根車１２は、流入口１１ｃの内側に配置されている。
【００４０】
本実施の形態では、羽根車１２は斜流羽根車であり、羽根１３は斜流羽根である。図１に示すように、斜流羽根１３は、第１吐出流路２１の第１舌端２１ａ及び第２吐出流路２２の第２舌端２２ａから軸方向に離れて配置されている。より詳しくは、斜流羽根１３の先端（外側端部）の吐出側端部（図１における上端）は、第１吐出流路２１の第１舌端２１ａ及び第２吐出流路２２の第２舌端２２ａの吸込側端部（図１における下端）よりも吸込側（図１における下方）に離れて位置決めされている。
【００４１】
流体脈動は、主に、ポンプ運転中に羽根１３の端面が吐出流路２３の舌端を横切るときに発生するが、本実施の形態では、軸方向に揚水を流すことができる斜流羽根が用いられ、羽根１３の位置が吐出流路２３の舌端とは干渉しない吸込側に離れて配置されているため、羽根１３が舌端を横切る運転・流れが無くなり、圧力脈動が更に抑制されるようになっている。
【００４２】
図２に示すように、吐出ケーシング１１ｂ内には、羽根車１２の周りに第１吐出流路２１及び第２吐出流路２２を形成するように仕切壁１５が設けられている。仕切壁１５は、吐出ケーシング１１ｂ内の元々の流路（すなわち吐出流路２３）の途中から当該元々の流路（吐出流路２３）を２つに分離するように、流れ方向に沿って延ばされており、第１吐出流路２１と第２吐出流路２２とは、仕切壁１５の下流側端部の分岐点Ｓにおいて分岐されている。図２に示すように、仕切壁１５によって形成される第１吐出流路２１の上流側部分と第２吐出流路２２の上流側部分とは、羽根車１２の回転中心に対して回転対称となっている。
【００４３】
本実施の形態では、第２吐出流路２２の第２舌端２２ａを規定する仕切壁１５の上流側端部は、第１吐出流路２１の第１舌端２１ａと羽根車１２の回転中心とを通る直線Ｌから、所定角度θずれて配置されている。すなわち、第１吐出流路２１の第１舌端２１ａと第２吐出流路２２の第２舌端２２ａとは、羽根車１２の回転中心を中心として非対称に配置されている。これにより、羽根車１２の羽根枚数が偶数であっても、第１吐出流路２１の第１舌端２１ａと第２吐出流路２２の第２舌端２２ａとを羽根１３が同時に通過しないようになっている。
【００４４】
図示された例では、仕切壁１５の上流側端部のずれの角度θは、羽根車１２の羽根１３の外側端部の回転方向の長さＴ２に相当する位相角（通常３°〜４°）以上の大きさで設計されている。言い換えれば、仕切壁１５の上流側端部は、第１吐出流路２１の第１舌端２１ａと羽根車１２の回転中心とを通る直線Ｌから、羽根車１２の羽根１３の外側端部の回転方向の長さＴ２に相当する位相角以上ずれて配置されている。この場合、図２に示すように羽根車１２の羽根枚数が偶数であっても、第１吐出流路２１の第１舌端２１ａを羽根１３が通過し終えた後に、第２吐出流路２２の第２舌端２２ａを羽根１３が通過し始めることになり、すなわち、第１吐出流路２１の第１舌端２１ａを羽根１３が通過する時間帯と、第２吐出流路２２の第２舌端２２ａを羽根１３が通過する時間帯と、が重なることを確実に回避することができる。
【００４５】
図２に示すように、本実施の形態では、仕切壁１５の上流側端部は、第１吐出流路２１の第１舌端２１ａと羽根車１２の回転中心とを通る直線Ｌから、羽根車１２の回転方向前方側（図２における時計回り側）にずれて配置されている。この場合、仕切壁１５の上流側端部が羽根車１２の回転方向後方側（図２における反時計回り側）にずれて配置されている態様に比べて、仕切壁１５の流れ方向の長さが短く設計されるため、仕切壁１５の影響による搬送流体の圧力損失が低減され、ポンプの運転効率を一層向上させることができる。
【００４６】
図２に示すように、本実施の形態では、吐出流路２３の全幅Ｗ３は、吸込流路２０全幅Ｗに等しくなっている。また、吐出流路２３の全幅Ｗ３と吸込流路２０の全幅Ｗのオフセット量はゼロであり、言い換えれば、吐出流路２３の中心軸線は吸込流路２０の中心軸線の延長線上に位置している。
【００４７】
より詳しくは、第１吐出流路２１の外側部は、吸込流路２０の全幅Ｗの一方の外側部の延長線上に位置している。他方、第２吐出流路２２の外側部は、吸込流路２０の全幅Ｗの他方の外側部の延長線上に位置するように、図示された例では第１舌端２１ａからの曲線部で形成されている。また、第２吐出流路２２の内側部は、分岐点Ｓから外側部側に曲がる曲線部と、その曲線部に連続して反転し内側部側に曲がる曲線部とから形成されている。
【００４８】
図２に示すように、本実施の形態では、羽根車１２の回転中心を原点、羽根車１２の回転方向Ｄ（図２における時計回り）を正方向、搬送流体の吐出方向（図２における右方向）を９０°とする座標系において、第１吐出流路２１の第１舌端２１ａは、１００°〜１４０°（図示の例では１３５°）の位置に設けられ、第２吐出流路２２の第２舌端２２ａは、２８０°〜３２０°（図示の例では３１５°＋θ）の位置に設けられている。
【００４９】
なお、本件発明者らの知見によれば、第１舌端２１ａの角度位置が１００°未満又は１４０°より大きい場合は、ポンプ効率を損なうことなく、すなわち吐出流路損失を増大させることなく、吸込流路２０の全幅Ｗを吐出流路２３の全幅Ｗ３に利用する図示のような形状を形成することが困難である。また、第２舌端２２ａの角度位置２８０°未満又は３２０°より大きい場合も、同様な理由により図示のような形状を形成することが困難である。
【００５０】
次に、このような構成からなる本実施の形態の作用について説明する。
【００５１】
まず、図１に示すように、ケーシング１１内に搬送流体（液体または気体）が充填された状態で、原動機３からの回転動力により、羽根車１２と主軸１４とが一体に回転される。吐出ケーシング１１ｂ内の流体は、羽根車１２の羽根１３に押されて回転され、回転による遠心力により径方向外向きに押しやられる。これにより、羽根車１２の回転中心側の圧力が低下するため、圧力差により、吸込ケーシング１１ａ内の流体が流入口１１ｃから吐出ケーシング１１ｂ内へと流入される。一方、吐出ケーシング１１ｂ内において遠心力により径方向外向きに押しやられた流体は、吐出流路２３、すなわち第１吐出流路２１及び第２吐出流路２２に沿って押し流される。
【００５２】
ところで、背景技術の欄でも言及したように、従来のダブルボリュート構造では、２つの吐出流路が羽根車の回転中心を中心として１８０°対称に形成されているため、羽根車の羽根枚数が偶数の場合には、２つの吐出流路の舌端を羽根車の羽根が同時に通過することになり、一方の吐出流路の舌端を羽根が通過するときに生じる圧力変動と、他方の吐出流路の舌端を羽根が通過するときに生じる圧力変動とが同期することで、搬送流体に大きな圧力脈動が発生する可能性がある。
【００５３】
一方、本実施の形態では、図２に示すように、第１吐出流路２１の第１舌端２１ａと第２吐出流路２２の第２舌端２２ａとが羽根車１２の回転中心を中心として非対称に配置されているため、羽根車１２の羽根枚数が偶数の場合であっても、第１吐出流路２１の第１舌端２１ａと第２吐出流路２２の第２舌端２２ａとを羽根１３が同時に通過しないようになっている。したがって、搬送流体に大きな圧力脈動を発生させることなく、羽根枚数が偶数の羽根車１２を採用することが可能となっている。
【００５４】
以上のように、本実施の形態によれば、第１吐出流路２１の第１舌端２１ａと第２吐出流路２２の第２舌端２２ａとが羽根車１２の回転中心を中心として非対称に配置されているため、羽根車１２の羽根枚数が偶数であっても、第１吐出流路２１の第１舌端２１ａと第２吐出流路２２の第２舌端２２ａとを羽根１３が同時に通過しないようになる。これにより、羽根車１２の羽根枚数に制約を設けることなく、搬送流体の圧力脈動を効果的に低減することができる。そのため、必要な全揚程および流量を満たす最適な羽根枚数の羽根車１２を採用することが可能となり、本来のポンプ性能である運転点（最高効率点）にてポンプ１０を運転することができる。
【００５５】
また、本実施の形態によれば、吐出流路２３の全幅Ｗ３が吸込流路２０の全幅Ｗに等しいため、吐出流路２３が第１吐出流路２１及び第２吐出流路２２に分岐されていても、吐出流路２３の全幅Ｗ３が吸込流路２０の全幅Ｗより大きくなることがなく、ポンプ据付けに必要なポンプ据付必要幅を最大で吐出流路２０の全幅Ｗまで縮小できる。したがって、ポンプ据付に要する土木費用を低減することができる。
【００５６】
また、本実施の形態によれば、第２吐出流路２２の第２舌端２２ａを規定する仕切壁１５の一端が、第１吐出流路２１の第１舌端２１ａと羽根車１２の回転中心とを通る直線Ｌから、羽根車１２の羽根１３の外側端部の回転方向の長さＴ２に相当する位相角以上ずれて配置されているため、羽根車１２の羽根枚数が偶数の場合には、第１吐出流路２１の第１舌端２１ａを羽根１３が通過する時間帯と、第２吐出流路２２の第２舌端２２ａを羽根１３が通過する時間帯と、が重なることを確実に回避することができる。これにより、搬送流体の圧力脈動を一層効果的に低減できる。
【００５７】
また、本実施の形態によれば、第１吐出流路２１の第１舌端２１ａを規定する仕切壁１５の一端が、第２吐出流路２２の第２舌端２２ａと羽根車１２の回転中心とを通る直線Ｌから、羽根車１２の回転方向前方側にずれて配置されているため、仕切壁１５の一端が羽根車１２の回転方向後方側にずれて配置されている態様に比べて、仕切壁１５の流れ方向の長さが短く設計される。これにより、仕切壁１５の影響による搬送流体の圧力損失が低減され、ポンプの運転効率を一層向上させることができる。
【００５８】
また、本実施の形態によれば、第１吐出流路２１の幅Ｗ１と第２吐出流路２２の幅Ｗ２との和が吸込流路２０の全幅Ｗより小さいため、ポンプ据付けに必要なポンプ据付必要幅を縮小しながら、第１吐出流路２１と第２吐出流路２２とを確実に分離させることができる。
【００５９】
なお、本実施の形態では、図２に示すように、仕切壁１５の一端のずれの角度θが、羽根車１２の羽根１３の外側端部の回転方向の長さＴ２に相当する位相角以上の大きさで設計されていたが、これに限定されない。例えば、仕切壁１５の一端のずれの角度θは、羽根車１２の羽根１３の外側端部の回転方向の長さＴ２より小さく設計されていてもよい。この場合、第１吐出流路２１の第１舌端２１ａを羽根１３が通過する時間帯と、第２吐出流路２２の第２舌端２２ａを羽根１３が通過する時間帯と、が一部で重なるものの、２つの吐出流路が羽根車の回転中心を中心として１８０°対称に形成されている態様と比べれば、羽根車１２の羽根枚数に制約を設けることなく搬送流体の圧力脈動を低減することが可能である。
【００６０】
また、本実施の形態では、羽根車１２は斜流羽根１３を有し、斜流羽根１３は、第１舌端２１ａ及び第２舌端２２ａから軸方向に離れて配置されているため、羽根車１２の羽根１３が第１舌端２１ａ及び第２舌端２２ａを横切るような運転・流れが無くなり、圧力脈動の発生が更に抑制され得る。
【００６１】
なお、図示された例では、ポンプ１０は立軸渦巻ポンプであったが、横軸渦巻ポンプであってもよい。また、図示された例では、ポンプ１０は斜流渦巻ポンプであったが、遠心渦巻ポンプであってもよい。また、図示された例では、ポンプ１０は片吸込渦巻ポンプであったが、両吸込渦巻ポンプであってもよい。
【００６２】
ところで、上述したように、羽根車１２の羽根枚数は、通常は３〜７枚のいずれかである。このうち奇数であって最も大きい数である７枚の羽根枚数の羽根車１２を採用する場合には、１つの羽根１３に対して最も離れて位置する別の羽根１３は、当該１つの羽根１３に対して１８０°対称となる位置から、羽根車１２の回転中心を中心として３６０°／７／２＝２５．７°の位相角だけずれて配置されている。したがって、羽根枚数が７枚の羽根車１２を採用する場合には、仕切壁１５の一端のずれの角度θが、２５．７°−羽根１３の外側端部の回転方向の長さＴ２に相当する位相角（通常は３〜４°）以下であれば、第１吐出流路２１の第１舌端２１ａと第２吐出流路２２の第２舌端２２ａとを羽根１３が同時に通過しないようになる。したがって、仕切壁１５の一端のずれの角度θの上限としては、２５．７°−４°＝２１．７°以下であることが好ましい。
【符号の説明】
【００６３】
１      ポンプ機場
２      減速機
３      原動機
１０    ポンプ
１１    ケーシング
１１ａ  吸込ケーシング
１１ｂ  吐出ケーシング
１２    羽根車
１３    羽根
１４    主軸
１５    仕切壁
２０    吸込流路
２１    第１吐出流路
２１ａ  第１舌端
２２    第２吐出流路
２２ａ  第２舌端
２３    吐出流路
【図１】
2018003808.tif 000003
【図２】
2018003808.tif 000004
【図３】
2018003808.tif 000005
【図４】
2018003808.tif 000006
【図５】
2018003808.tif 000007